(57)【要約】      （修正有）【課題】スピンドルモータの駆動軸方向で落下衝撃を受けたときの衝撃耐性を向上させる。【解決手段】昇降フレーム１１に、モータプレート７５によりスピンドルモータ１４を取り付ける。昇降フレーム１１を従動スライダの摺動に連動させて、下降位置と再生／記録位置との間で昇降させる。従動スライダからブラケット８２を延設する。このブラケット８２の先端に、衝撃緩衝用ストッパ８１を設ける。昇降フレーム１１を下降位置から再生／記録位置に昇降させるときに、ブラケット８２により、底板とモータプレート７５との隙間に、衝撃緩衝用ストッパ８１を位置させる。スピンドルモータ１４の駆動軸方向に落下衝撃が作用したときに、衝撃緩衝用ストッパ８１が、底板とスピンドルモータ１４との間に介在し、スピンドルモータ１４の落下衝撃時の移動域が短くなる。その分だけ落下衝撃を小さくすることができ、昇降フレーム１１の変形が抑えられる。【選択図】図７
2010113778.tif 000002
【特許請求の範囲】
【請求項１】
スライド面を摺動するスライダと、ディスクを載置してモータにより回転させるターンテーブルを保持した昇降フレームとを備え、ディスクの装填に伴って前記スライダが摺動するときに、スライダのカム溝と昇降フレームの昇降ピンとの組合せにより、前記昇降フレームを下降位置から上昇させ、前記ターンテーブルにディスクを装着してから再生／記録位置に位置決めするディスク装置において、
前記昇降フレームが取り付けられる底板と前記モータとの間に衝撃緩衝用ストッパを設けたことを特徴とするディスク装置。
【請求項２】
前記衝撃緩衝用ストッパは、前記スライダから延設したブラケットに形成されており、前記昇降フレームが下降位置から再生／記録位置に上昇したときに、前記スライダの摺動により前記モータと前記底板との隙間に進入することを特徴とする請求項１記載のディスク装置。
【請求項３】
前記衝撃緩衝用ストッパは、前記昇降フレームが下降位置にあるときに前記モータと前記底板との間隙を小さくするように、前記モータを前記昇降フレームに取り付けるモータプレートまたは前記底板から突出するように形成されていることを特徴とする請求項１記載のディスク装置。
【発明の詳細な説明】
【技術分野】
【０００１】
本発明は、光ディスクをドライブして情報の再生／記録を行うディスク装置に関し、さらに詳しくは、ディスクを載置して回転させるターンテーブルを保持した昇降フレームを昇降させる機構を備えたディスク装置に関する。
【背景技術】
【０００２】
コンピュータシステムなどの各種の情報機器には、多量の情報をストアすることができる光ディスク（例えば、ＣＤ，ＤＶＤなど）が、記録媒体として用いられている。この光ディスク（以下、単にディスクという）は、ディスク装置に装填され、情報の再生／記録が行われる。このディスク装置には、トレイタイプとスロットインタイプとがある。
【０００３】
トレイタイプは、例えば特許文献１に記載されているように、ディスクが収納されるディスクトレイを備えており、このディスクトレイが本体ケース（シャーシケース）内に格納された格納位置と、本体ケースから突出したイジェクト位置との間で移動可能となっている。イジェクト位置にあるディスクトレイにディスクを入れてから、例えば操作ボタンを押すと、ローディングモータが始動してディスクトレイを格納位置に引き込む。次に、スライダが移動して昇降フレームを上昇させる。この昇降フレームには、ターンテーブルユニットやピックアップユニットなどが取り付けられ、全体としてトラバースユニットを構成している。昇降フレームの上昇の途中で、ターンテーブルユニットのクランプヘッドにディスクが装着される。昇降フレームが更に上昇して再生／記録位置に到達すると、ターンテーブルユニットがディスクを回転させる。ディスクの回転中に、ピックアップユニットによって、情報の記録または再生が行われる。操作ボタンを押すと、昇降フレームが下降位置に戻り、そしてディスクを収納したディスクトレイがイジェクト位置に押し出される。
【０００４】
スロットインタイプのディスク装置は、特許文献２に記載されているように、本体ケースの前面にベゼルが取り付けられ、このベゼルにスロットが形成されている。ディスクを装填するには、ディスクの過半をベゼルのスロットに差し込む。ディスクによってディスクローディング機構が少し動かされると、ローディングモータが始動する。このローディングモータによってディスクローディング機構が駆動され、ディスクが本体ケース内に引き込まれる。次に、スライダが移動して昇降フレームを上昇させる。昇降フレームは、下降位置から最上昇位置に移動して、ターンテーブルユニットのチャッキングヘッドにディスクを装着する。次に、昇降フレームが少し下降して再生／記録位置に位置決めされると、ターンテーブルユニットがディスクを回転させ、情報の記録または再生を行う。イジェクトボタンを操作すると、ディスクローディング機構が作動してディスクを本体ケースから搬出する。
【０００５】
ノートパソコンなどの持ち運びできる各種システムに対する機械的な要求として、衝撃耐性が大きくクローズアップされている。例えば、特許文献３では、衝撃耐性を向上させるために、ディスク装置の上面を覆うカバーに、ディスク上面の最外周に対向配置させた第１の凸部を設け、トレイにディスク下面の最外周に対向配置された第２の凸部を設けて、ディスクがターンテーブルの支持面に対し所定角度傾いたときに、凸部にディスクの最外周縁部が当接してディスクの傾きを規制している。
【０００６】
【特許文献１】特開平１１−１８５３３８号公報
【特許文献２】特開２００６−２２８３５３号公報
【特許文献３】特許第３２３９７７１号公報
【発明の開示】
【発明が解決しようとする課題】
【０００７】
ところで、最近、軽量化ノートパソコンなどの急速な普及によって、衝撃耐性の要求が更に厳しくなっており、上記の凸部によるディスクの傾き規制方法では対処することが困難になってきている。
【０００８】
例えばトレイタイプとスロットインタイプのいずれも、スライダにカム溝を形成し、このカム溝に昇降フレームの昇降ピンを嵌合し、ディスクの装填時にスライダを摺動させて、昇降フレームを下降位置から再生／記録位置へ上昇させている。昇降フレームは、ディスクを本体ケースに搬入または搬出するときに、例えばフロントベゼル側を支点にして、本体ケースの中央に位置する先端側（自由端側）が上下方向に揺動する。この昇降フレームには、その自由端側であるケース中央部側で、スピンドルモータが取り付けられている。また、昇降フレームには、ピックアップユニットが取り付けられている。
【０００９】
ピックアップユニットは、昇降フレームの開口の下方に配置されたキャリッジと、これに保持された光ピックアップとから構成されている。情報の再生／記録時には、キャリッジが開口に沿って、ディスクの半径方向に移動する。このため、キャリッジが移動するときに障害となることがないように、モータ保持ブラケットを用いて、スピンドルモータを昇降フレームの自由端側に固定している。したがって、スピンドルモータ自体も、昇降フレームに片持ち構造で取り付けられることになる。
【００１０】
このようなスピンドルモータの片持ち構造と昇降フレームの片持ち構造とを採用しているため、落下時の衝撃荷重が片持ち構造部分に直接に作用し、衝撃によって変形してしまうことがある。特に、ディスクをスピンドルモータに取り付けた状態、すなわち昇降フレームが再生／記録位置に上昇した状態で、ディスク装置が取り付けられた例えばノートパソコンなどを誤って落下させてしまったときに、その衝撃荷重方向がスピンドルモータの駆動軸方向になると、ディスクとスピンドルモータとの衝撃荷重が片持ち構造部分に作用する。しかも、スピンドルモータの下側は昇降フレームの昇降のためのスペースが形成されているため、このスペース部分でスピンドルモータが移動しやすくなっている。このため、昇降フレームのスピンドルモータが取り付けられている自由端側のモータ取付部分に、衝撃荷重が集中して作用してしまい、昇降フレームを変形させてしまうことがある。この場合には、昇降フレームに取り付けられているスピンドルモータの駆動軸が昇降フレームに対し傾いてしまうことになる。この駆動軸が傾いてしまうと、ディスクが斜めに保持された状態になり、ディスク外周が昇降フレームや、天板、ベースパネルなどに当たってしまう現象が発生する。また、駆動軸が傾いてしまうと、情報の再生／記録にエラーが発生したり、再生／記録が不能になったりするという問題もある。
【００１１】
特に、ブルーレイディスク用のピックアップユニットや読取方式の異なる二種類のディスクに対応するようにした併用ピックアップユニットなどでは、従来の一般的なピックアップユニットよりも広幅化している。このため、これに対応すべく昇降フレームの開口幅を大きくすると、その分だけ昇降フレームの両側のアーム幅が狭くなり、強度が不足しがちとなる。これに対応するためには、昇降フレームの両側のアームの幅が狭くなった分だけ、強度を確保すべく、肉盛りやリブ、折り曲げ片などの補強部材により補強する必要がある。しかしながら、限られたスペース内にこれら補強部材を配置するには、設計の見直しなども必要になり、困難である。また、スロットイン方式のスリムドライブの場合には、特有のディスク搬送機構が必要となる。このため、ディスク搬送機構のスペースが必要となり、同様にして補強部材を設けるスペースを確保することが困難であるという問題がある。
【００１２】
本発明は、簡単な構成で落下衝撃による昇降フレームの変形を抑えることができ、落下衝撃耐性に優れたディスク装置を提供することを目的とする。
【課題を解決するための手段】
【００１３】
上記目的を達成するために、本発明は、モータと底板との間に衝撃緩衝用ストッパを設けている。
【００１４】
衝撃緩衝用ストッパは、スライダから延設したブラケットに形成されており、昇降フレームが下降位置から再生／記録位置に上昇したときに、前記スライダの摺動により前記モータと前記底板との隙間に進入する。
【００１５】
衝撃緩衝用ストッパは、昇降フレームが下降位置にあるときに前記モータと底板との間隙を小さくするように、モータを昇降フレームに取り付けるモータプレートまたは底板から突出させて形成されている。なお、衝撃緩衝用ストッパは、金属または硬質プラスチックから構成されていることが好ましい。
【発明の効果】
【００１６】
本発明によれば、モータと底板との間に衝撃緩衝用ストッパを設けているから、例えば落下による衝撃を受けたときに、衝撃緩衝用ストッパがモータと底板との間に介在するため、衝撃時のモータの移動域が短くなり、この分だけ、衝撃が緩和される。これにより、ディスク装置内でディスクが傾いて天板、ベースパネル、昇降フレームにディスクが接触して傷付いてしまうことが抑えられる。また、衝撃による昇降フレームの変形を抑えることができるため、昇降フレームの変形によってモータの回転軸が傾斜してしまうことがなくなる。したがって、情報の再生／記録にエラーが発生したり、再生／記録が不能になったりすることがなくなる。
【００１７】
また、衝撃緩衝用ストッパは、昇降フレームが下降位置にあるときにモータと底板との間隙を小さくするように、モータまたは底板から突出させて形成されているから、昇降フレームの下降位置と再生／記録位置との間での揺動の障害となることはなく、昇降フレームを円滑に揺動することができる。
【発明を実施するための最良の形態】
【００１８】
図１において、ディスク装置１は、シールド状態に構成された本体ケース（シャーシケース）２を備えている。この本体ケース２の前面に、ベゼル３が取り付けられている。このベゼル３には、ディスクＤＩを挿入するスロット３ａと、ディスクＤＩのイジェクトを指示するための押しボタン４と、ディスク装置１の動作状態を表示するためのインジケータ５とが設けられている。
【００１９】
本体ケース２には、天板６が取り付けられている。この天板６のほぼ中央には、ディスクＤＩのチャッキング時にチャッキングヘッド１６（図２参照）が僅か入り込むための開口６ａが形成されている。また、開口６ａの周囲には、本体ケース２の内壁に突出部を形成するための凹部６ｂが設けられている。この本体ケース２の突出部は、チャッキングヘッド１６がディスクＤＩの中心孔ＤＩａに挿入するときに、ディスクＤＩを受け止める。
【００２０】
天板６を取り外した図２及び図３において、本体ケース２を上下に仕切るように、ベースパネル１０が本体ケース２に固定されている。このベースパネル１０には、中央から斜め方向に延びた開口１０ａが形成されている。この開口１０ａ内には、昇降フレーム１１が配置されている。この昇降フレーム１１には、中央から斜め方向に延びた開口１１ａが形成されている。
【００２１】
前記昇降フレーム１１は、ディスクＤＩを本体ケース２に搬入または搬出するときに、フロントベゼル３側を支点にして、本体ケース２の略中央に位置する先端側が上下方向に揺動する。この昇降中の衝撃を緩和するために、昇降フレーム１１は、緩衝支持構造１２により複数箇所でベースパネル１０に取り付けられている。この緩衝支持構造１２は、図９（Ａ）に示すように、ベースパネル１０と本体ケース２の底板２ａとの間に設けた軸１２ａと、これに嵌合するゴムリング１２ｂとから構成されている。このゴムリング１２ｂは、昇降フレーム１１から突出した突起１１ｂに固定されている。
【００２２】
昇降フレーム１１の先端部には、ターンテーブルユニット１３が取り付けられている。このターンテーブルユニット１３は、スピンドルモータ１４、ターンテーブル１５、チャッキングヘッド１６を備えている。スピンドルモータ１４は、昇降フレーム１１の内面に固定され、その駆動軸にターンテーブル１５が固定されている。このターンテーブル１５に、チャッキングヘッド１６が一体に形成されている。このチャッキングヘッド１６は、昇降フレーム１１が上昇したときに、チャッキング位置にセットされたディスクＤＩをチャッキングする。更に、チャッキングヘッド１６には、バネで付勢された複数のチャッキング爪１６ａが設けられている。このチャッキング爪１６ａはディスクＤＩを着脱可能に係止する。
【００２３】
また、昇降フレーム１１には、ピックアップユニット１８が取り付けられている。図４に示すように、このピックアップユニット１８は、昇降フレーム１１の開口１１ａの下方に配置されたキャリッジ１９と、これに保持された光ピックアップ２０とから構成されている。情報の再生／記録時には、キャリッジ１９が開口１１ａに沿って、ディスクＤＩの半径方向に移動する。
【００２４】
図２及び図３に示すように、昇降フレーム１１には、ディスクＤＩの外周縁をガイドするためのディスクガイド片２１が取り付けられている。このディスクガイド片２１は、ディスクＤＩの搬入方向に沿って、先端部がターンテーブル１５の脇まで延びている。また、ディスクガイド片２１には、先端部に向けて徐々に高くなったスロープが形成されており、ディスクＤＩを上に持ち上げることで、チャッキングヘッド１６に衝突することなく、本体ケース２内に搬入されるようにしている。
【００２５】
ディスクガイド片２１の先端部の下方に、図９（Ａ）に示すように、チャッキング解除ピン２２が配置されている。昇降フレーム１１が下降するときに、ディスクガイド片２１がチャッキング解除ピン２２に当たって停止されるから、ディスクガイド片２１によって、ディスクＤＩがチャッキングヘッド１６から抜き出される。また、ディスクガイド片２１の先端部には、下方に延びた折り曲げ部２１ａが形成されている。この折り曲げ部２１ａは、昇降フレーム１１が下降位置に移動するときに、昇降フレーム１１の折り曲げ縁部１１ｃで押し下げられ、ディスクガイド片２１のスロープを湾曲させる。
【００２６】
図２及び図３に示すように、ベースパネル１０上には、ディスクＤＩの搬入および搬出を行うためのディスク支持アーム２４と、スロット３ａから挿入されたディスクＤＩを本体ケース２内へ搬入するための誘引アーム２５とが揺動可能に配置されている。ディスク支持アーム２４は、ホルダー２４ａでディスクＤＩの前端縁を保持し、軸２３を中心にして揺動する。誘引アーム２５は、フランジ付ローラ２５ａでディスクＤＩの後端縁を保持し、軸２６を中心にして揺動する。この誘引アーム２５を揺動させるために、リンクレバー２７が連結されている。リンクレバー２７は一端が誘引アーム２５にピン結合されており、他端にカムピン２７ａを備えている。カムピン２７ａは、ガイドスリット２８に沿って移動する。
【００２７】
なお、図３には、ディスクＤＩがイジェクト位置にある場合、自動搬入の開始位置にある場合、チャッキング完了後の再生／記録位置にある場合がそれぞれ示されている。符号２９ａ，２９ｂは、昇降フレーム１１を昇降させるための昇降ピンである。
【００２８】
図４において、光ピックアップ２０を保持したキャリッジ１９は、ガイドシャフト３２，３３に支持されている。これらのガイドシャフト３２，３３は、その両端が昇降フレーム１１の背面に固定されている。スレッドモータ３４の回転は、ギヤトレイン３５を介して、スクリューシャフト３６に伝達される。このスクリューシャフト３６の回転により、キャリッジ１９が前進／後退する。
【００２９】
ベースパネル１０の背面には、ローディングモータ３８が配置され、このローディングモータ３８の回転が、ギヤトレイン３９を介してディスクローディング機構４０に伝達され、ディスクＤＩの搬入又は搬出が行われる。このディスクローディング機構４０の主要部は、ローディングスライダ４１、ディスク支持アーム２４、誘引アーム２５である。
【００３０】
前記ローディングスライダ４１は、端部に形成したラックギヤ４２がギヤトレイン３９の最終段のギヤに噛合しており、ローディングモータ３８の回転により、本体ケース２の側壁に沿って前進／後退する。ローディングスライダ４１がベゼル３から離れる方向に移動（前進）するときに、ディスクＤＩが本体ケース２内に搬入され、後退するときに本体ケース２から搬出される。
【００３１】
また、ローディングスライダ４１には、カム溝４３，４４が形成されている。このカム溝４３は、ガイドスリット２８と重なっており、これらにリンクレバー２７のカムピン２７ａが嵌合している（図５参照）。ローディングスライダ４１の前進／後退により、カム溝４３とガイドスリット２８とが共働して、リンクレバー２７を移動させる。また、カム溝４４には、リンクレバー４５のカムピン４５ａと、リンクレバー４６のカムピン４６ａとが嵌合しており、ローディングスライダ４１が前進／後退するときに、リンクレバー４５，４６は、軸４７，４８を中心にして回転する。
【００３２】
前記リンクレバー４５には、ピン４５ｂが形成されている。このピン４５ｂは、従動スライダ５２の長孔５２ａに嵌合している。この従動スライダ５２は、その前後がベースパネル１０の折り曲げ部１０ｂとガイド板５３とでガイドされている。従動スライダ５２は、ガイド穴５２ｂにピン５４が嵌合しており、またベースパネル１０に固定したガイド板５３が背面をガイドしている。
【００３３】
前記リンクレバー４６は、ピン５６を介してリンクアーム５７に連結されている。このリンクアーム５７は、ピン５８を介してベース部２４ｂに連結されている。このベース部２４ｂは、ベースパネル１０の表面に配置されたディスク支持アーム２４と軸２３で一体的に連結されている。ベース部２４ｂの周囲に、スイッチ５９が配置されており、ディスクＤＩの押し込みでディスク支持アーム２４が所定量揺動されたときにＯＮする。このスイッチ５９からの信号で、制御回路（図示せず）はローディングモータ３８を回転させ、ディスクローディング機構４０によるディスクＤＩの自動搬入を開始する。
【００３４】
前記リンクアーム５７は、第１アーム５７ａと、この第１アーム５７ａに対してスライド可能に連結された第２アーム５７ｂと、リンクアーム５７を最短状態に保つためのバネ５７ｃとから構成されている。この伸縮可能なリンクアーム５７により、ディスクＤＩがユーザーによって本体ケース２内に押し込まれている間、すなわちディスクローディング機構４０による自動搬入が開始されるまで、リンクレバー４６を作動させることなく、ディスク支持アーム２４の揺動を可能にする。
【００３５】
図５に示すように、ローディングスライダ４１は柱状をしており、ガイドプレート６２と本体ケース２の底板２ａとの間で摺動する。このガイドプレート６２はガイドスリット２８を備え、ベースパネル１０に固定されている。ローディングスライダ４１は、前述したように、ラックギヤ４２、カム溝４３，４４が形成されている。
【００３６】
前記カム溝４４は、横溝部４４ａ、縦溝部４４ｂ、傾斜部４４ｃ、縦溝部４４ｄ、横溝部４４ｅが連続して形成されている。ディスクＤＩの装填前には、リンクレバー４６のカムピン４６ａが横溝部４４ａに入っており、リンクレバー４５のカムピン４５ａが縦溝部４４ｄに入っている。
【００３７】
また、ローディングスライダ４１は、昇降フレーム１１に対面する側部に、昇降フレーム１１の昇降ピン２９ｂを昇降させるためのカム溝６３が形成されている。このカム溝６３は、昇降フレーム１１を下降位置に保つための低位部６３ａ、昇降フレーム１１を上昇または降下させるための傾斜部６３ｂ、昇降フレーム１１を再生／記録位置に保つための高位部６３ｃが連続して形成されている。
【００３８】
図６に示すように、従動スライダ５２には、昇降フレーム１１（図２，図４参照）の昇降ピン２９ａが嵌合するカム溝６５が形成されている。このカム溝６５は、ローディングスライダ４１のカム溝６３と同様に、昇降フレーム１１を下降位置に保つための低位部６５ａ、昇降フレーム１１を上昇または降下させるための傾斜部６５ｂ、昇降フレーム１１を再生／記録位置に保つための高位部６５ｃが連続して形成されている。
【００３９】
図７に示すように、スピンドルモータ１４は、モータプレート７５、スペーサ７６，７７及びネジ７８により昇降フレーム１１に固定されている。第１及び第２スペーサ７６，７７は、スピンドルモータ１４の高さを位置決めする。
【００４０】
モータプレート７５の表面には、フレキシブル配線板７９の一端部７９ａが配置されており、この一端部７９ａがスピンドルモータ１４に接続されている。フレキシブル配線板７９はスピンドルモータ１４と制御基板（図示せず）とを接続する。制御基板はベースパネル１０の背面に取り付けられている。
【００４１】
図４及び図７に示すように、光ピックアップ２０の移動域を確保するために、モータプレート７５は、昇降フレーム１１の先端部側に片持ち構造で３個のネジ７８により固定されている。このため、後に説明するように、再生／記録位置（図９（Ｄ）参照）に昇降フレーム１１が位置した状態で、例えば落下による衝撃がスピンドルモータ１４の駆動軸方向にかかった場合に、昇降フレーム１１の自由端部側に片持ち構造でモータプレート７５により固定されているスピンドルモータ１４の衝撃時加速度によって、モータプレート７５やモータプレート７５が取り付けられている昇降フレーム１１の先端部が変形してしまうことがある。特に、ブルーレイディスク用のピックアップユニットや読取方式が異なる２種類の併用ピックアップユニットなどは広幅化しているため、これに対応すべく、昇降フレーム１１の開口１１ａの幅を大きくすると、昇降フレーム１１の両側の幅が狭くなり、強度が不足しがちとなる。また、強度を確保すべく、肉盛りやリブ、折り曲げ片などの補強部材により補強することも考えられるが、限られたスペース内で、新たに補強部材を設けることは困難である。
【００４２】
そこで、本発明では、補強部材による衝撃耐性の向上に代えて、全く新たな視点にたち、片持ち構造で昇降フレーム１１に取り付けられているスピンドルモータ１４と底板２ａとの間に、図４、図６〜８に示すように、衝撃緩衝用ストッパ８１を設けることにより、落下衝撃時のスピンドルモータ１４の移動域が無くなるように（図８参照）、又は短くなるように（図１０〜１２参照）規制している。これにより、落下衝撃時には、スピンドルモータ１４が直ぐに衝撃緩衝用ストッパ８１に当たりにその移動が停止されるため、昇降フレーム１１の自由端側でのモータ固定部分での変形量やモータプレート７５の変形量が抑えられる。これにより、落下衝撃によっても変形することなく、衝撃耐性に優れたディスク装置１を提供することができる。
【００４３】
図４及び図６に示すように、衝撃緩衝用ストッパ８１は、従動スライダ５２にブラケット８２を延設し、このブラケット８２の先端部上面に設けられている。ブラケット８２は、従動スライダ５２の往復動時に、他の構成部材にぶつかることが無い位置に配置されており、例えば金属製の薄板から構成されている。なお、金属製の薄板に代えて、他のプラスチック部材からブラケット８２を構成してもよい。また、ブラケット８２は、固着や一体成形により従動スライダ５２に取り付けられる。なお、従動スライダ５２、ブラケット８２、衝撃緩衝用ストッパ８１をプラスチック部材で一体成形してもよい。
【００４４】
衝撃緩衝用ストッパ８１は、従動スライダ５２がローディングスライダ４１の往復動に従動して、昇降フレーム１１を上昇させ、昇降フレーム１１が再生／記録位置に位置したときに、図８に示すように、スピンドルモータ１４と底板２ａとの隙間内に進入した状態となる。これにより、落下衝撃時のスピンドルモータ１４の移動域を小さくすることができ、再生／記録位置での衝撃荷重を緩衝することができる。
【００４５】
次に、図５、図６及び図９を参照して上記実施形態の作用について説明する。なお、図９はチャッキングを説明するためのものであり、衝撃緩衝用ストッパ８１の図示は省略している。ディスクＤＩの挿入前には、図９（Ａ）に示すように、昇降フレーム１１が下降位置にセットされている。このときには、図６に示すように、昇降フレーム１１の昇降ピン２９ａは、従動スライダ５２のカム溝６５の低位部６５ａに位置している。また、図５に示すように、昇降ピン２９ｂはローディングスライダ４１のカム溝６３の低位部６３ａに位置している。また、図９（Ａ）に示すように、ディスクガイド片２１は、チャッキング解除ピン２２に当たった状態で、昇降フレーム１１の折り曲げ縁部１１ｃで押し下げられているため、上方に突出した形状に湾曲している。
【００４６】
図３及び図４に示すように、ディスクＤＩがベゼル３のスロット３ａから本体ケース２内に挿入されると、ディスクＤＩの先端縁がディスク支持アーム２４のホルダー２４ａに支持される。このディスクＤＩの押込みに応じて、リンクアーム５７を伸長しながら、ディスク支持アーム２４がベース部２４ｂとともに、軸２３を中心にして図３において反時計方向に回転する。この際に、ディスクＤＩの先端縁は、ディスクガイド片２１で持ち上げられ、チャッキングヘッド１６に衝突することなく、その上を乗り越える。
【００４７】
ディスク支持アーム２４のホルダー２４ａが昇降フレーム１１を通過する位置までディスクＤＩが押し込まれると、ベース部２４ｂがスイッチ５９をＯＮにする。このスイッチ５９の信号に基づいてローディングモータ３８が回転するから、ディスクローディング機構４０が作動してディスクＤＩの自動搬入が開始される。
【００４８】
前記ローディングモータ３８の回転は、ギヤトレイン３９を介してローディングスライダ４１に伝達される。ローディングスライダ４１は、ベゼル３から離れる方向（前進方向）に移動する。ローディングスライダ４１が前進すると、カム溝４３によってリンクレバー２７のカムピン２７ａが押されるため、このカムピン２７ａが固定のガイドスリット２８に沿って移動する。これにより、リンクレバー２７が移動するため、誘引アーム２５が軸２６を支点にして図３において時計方向に揺動する。この誘引アーム２５は、その先端に取り付けたローラ２５ａがディスクＤＩの後端縁を押す。
【００４９】
また、ローディングスライダ４１は、カム溝４４の横溝部４４ａによってリンクレバー４６を図４において時計方向に回転する。このリンクレバー４６の回転は、リンクアーム５７を介してベース部２４ｂに伝達され、ディスク支持アーム２４を図３において反時計方向に回転させる。これにより、ディスクＤＩは、ディスク支持アーム２４と誘引アーム２５とで保持されて、本体ケース２内に搬入される。
【００５０】
図３に示すように、ディスクＤＩがチャッキング位置に搬入されると、ディスクＤＩの中心孔ＤＩａがチャッキングヘッド１６と一致する。このチャッキング位置に到達すると、リンクレバー２７のカムピン２７ａが、カム溝４３及びガイドスリット２８の縦溝部に位置しているため、ローディングスライダ４１が前進しても、誘引アーム２５は停止している。同様に、リンクレバー４６のカムピン４６ａも縦溝部４４ｂに位置しているため、ディスク支持アーム２４も停止している。
【００５１】
他方、リンクレバー４５のカムピン４５ａは横溝部４４ｅに位置しているため、ローディングスライダ４１が前進すると、カムピン４５ｂと長孔５２ａとにより、従動スライダ５２が図４において、左方向に向かって摺動を開始する。この従動スライダ５２は、ベースパネル１０の折り曲げ部１０ｂとガイド板５３とで前後がガイドされ、そして上面の突起７２ａ，７２ｂがベースパネル１０の下面に接触した状態で、底板２ａ上を摺動する。
【００５２】
上記のように、ディスクＤＩがチャッキング位置に到達した時点では、昇降フレーム１１の昇降ピン２９ａが従動スライダ５２のカム溝６５の傾斜部６５ｂに、そして昇降ピン２９ｂがローディングスライダ４１のカム溝６３の傾斜部６３ｂにそれぞれ到達する。その後は、ディスク支持アーム２４と誘引アーム２５とが停止した状態で、ローディングスライダ４１に連動して従動スライダ５２の摺動が開始する。これにより、昇降ピン２９ａが傾斜部６５ｂに沿って移動し、また昇降ピン２９ｂが傾斜部６３ｂに沿って移動するから、昇降フレーム１１が下降位置から再生／記録位置に向かって上昇を開始する。
【００５３】
昇降フレーム１１が上昇を開始すると、図９（Ｂ）に示すように、チャッキングヘッド１６がディスクＤＩの中心孔ＤＩａに入り込み、チャッキング爪１６ａに引っかかった状態となる。昇降フレーム１１が更に上昇すると、図９（Ｃ）に示すように、ディスクＤＩが天板６の凹部６ｂによって形成された凸部で受け止められる。この状態で昇降フレーム１１が少し上昇すると、ディスクＤＩの中心孔ＤＩａにチャッキングヘッド１６が嵌まり、チャッキング爪１６ａで係止される。このチャッキングが完了した時点では、昇降ピン２９ａ，２９ｂが、カム溝６５、カム溝６３の最上部にそれぞれ位置しており、昇降フレーム１１は最上昇位置にある。
【００５４】
チャッキングの完了後に、ローディングスライダ４１と従動スライダ５２とが移動すると、昇降ピン２９ａがカム溝６５の最上部から傾斜部６５ｂを経て水平な高位部６５ｃに入り、または昇降ピン２９ｂもカム溝６３の最上部から傾斜部６３ｂを経て水平な高位部６３ｃに入る。これにより、図９（Ｄ）に示すように、昇降フレーム１１が最上昇位置から僅か下がった再生／記録位置に位置決めされる。
【００５５】
昇降フレーム１１が最上昇位置から再生／記録位置に移動する間に、カムピン２７ａがカム溝４３で押されて、ガイドスリット２８の横溝部２８ａ内を移動する。これにより、誘引アーム２５は、図３において、軸２６を中心にして反時計方向に少し回転するから、フランジ付ローラ２５ａがディスクＤＩの後端縁から離れる。また、リンクレバー４６のカムピン４６ａは、カム溝４４の傾斜部４４ｃで押されるから、リンクレバー４６が図４において時計方向に少し回転する。これにより、ディスク支持アーム２４は、図３において、反時計方向に少し回転し、ホルダー２４ａがディスクＤＩの前端縁から離れる。
【００５６】
昇降フレーム１１が再生／記録位置にセットされているときには、図９（Ｄ）に示すように、ディスクガイド片２１が折り曲げ縁部１１ｃによる押し下げから解放され、またチャッキング解除ピン２２から離れている。このため、ディスクガイド片２１がターンテーブル１５よりも下方に位置し、ディスクＤＩの下面から離れている。
【００５７】
昇降フレーム１１が再生／記録位置にセットされているときには、図４に示すように、従動スライダ５２の左方向移動により、衝撃緩衝用ストッパ８１が実線表示の退避位置から、二点鎖線表示のストッパ位置に移動する。
【００５８】
昇降フレーム１１が再生／記録位置にセットされた後に、ローディングモータ３８が停止する。その後、スピンドルモータ１４が回転して、ディスクＤＩを高速回転する。この状態で、スレッドモータ３４が回転してキャリッジ１９をガイドシャフト３２，３３に沿って移動する。キャリッジ１９上の光ピックアップ２０は、ディスクＤＩの半径方向に移動して、ディスクＤＩの再生／記録を行う。
【００５９】
図８に示すように、昇降フレーム１１が再生／記録位置では、衝撃緩衝用ストッパ８１がストッパ位置にセットされているため、ストッパ８１とモータプレート７５との隙間は、可能な限り小さくなっている。このため、誤ってノートパソコンなどを落下させ、本実施形態のディクス装置１にモータ駆動軸方向で落下衝撃を与えてしまった場合でも、ストッパ８１によりスピンドルモータ１４を保持するモータプレート７５と底板２ａとの隙間が可能な限り小さくされているので、モータ１４の移動域が小さく制限され、変位が抑えられる。これにより、昇降フレーム１１やモータプレート７５自体の変形が抑えられるため、衝撃耐性に優れたものとなる。
【００６０】
ディスクの再生／記録を終了する場合には、押しボタン４を押す。この押しボタン４が押されると、スピンドルモータ１４が停止し、またスレッドモータ３４が逆転して、キャリッジ１９を初期位置に復帰させる。次に、ローディングモータ３８が逆転を開始する。このローディングモータ３８により、ディスクローディング機構４０が作動し、前述したディスクＤＩの搬入と逆の動作が行われる。これにより、ディスクＤＩが図４に示すイジェクト位置に搬出される。
【００６１】
図１０に示すように、第２実施形態の衝撃緩衝用ストッパ８５は、底板２ａをプレス加工して底板２ａの一部を矩形状に突出させて形成している。なお、図１〜図９に示す第１実施形態と同じ部材には同じ符号を付してある。第２実施形態では、ストッパ８５の高さＨ１は、昇降フレーム１１が昇降可能なスペースを確保するために、昇降フレーム１１が下降位置にセットされているときに、ストッパ８５とモータプレート７５との間に隙間がなく、または僅かな隙間がある程度の高さに形成されている。このため、第１実施形態のストッパ８１の高さＨ２に比べて、ストッパ高さが低くなり、この低くなった分だけ、第１実施形態のものに比べてスピンドルモータ１４の移動域Ｇ１が長くなる。しかし、それでもなお、ストッパ８５が無い場合に比べて、スピンドルモータ１４の移動域がＧ１となって、従来の隙間Ｇ２よりもストッパ高さＨ１分だけ短くすることができる。これにより、ストッパ８５でスピンドルモータ１４の移動を規制することができ、衝撃耐性を向上させることができる。
【００６２】
図１１に示すように、第３実施形態における衝撃緩衝用ストッパ８７は、接着層８８により底板２ａに固定している。なお、ストッパ８７の固定手段は接着の他にネジ止めなどの他の固定手段で行ってもよい。
【００６３】
図１２に示すように、第４実施形態では、衝撃緩衝用ストッパ８９をスピンドルモータ１４側に一体に形成したものである。この第４実施形態では、モータプレート７５の底面に接着層９０により厚板状の金属製または硬質プラスチック製のストッパ８９を貼り付けている。なお、ストッパ８９は他の周知の固定手段でモータプレート７５に一体化してよい。また、固定手段で固定する代わりに、モータプレート７５の底面にプレス加工などにより突出させてストッパを形成してもよい。また、モータプレート７５にストッパ８９を形成する代わりに、スピンドルモータ１４のフレーム底面にストッパを設けてもよい。この場合には、モータプレートの開口からストッパを突出させる。
【００６４】
上記各実施形態における衝撃緩衝用ストッパ８１，８５，８７，８９の全体形状は、帯板状、ブロック状、円柱状、楕円柱状、多角柱状の他に、モータプレート７５の外形状に合わせた半円形状や、半円弧形状、円弧形状であってもよい。衝撃を受けたときの当接面を広くすることで、衝撃時に昇降フレーム１１の幅方向での曲がりも抑えることができ、昇降フレーム１１の曲げ変形の他に、捩じり変形も抑えることができる。なお、ストッパ８５，８７，８９の当接面を、昇降フレーム１１が下降位置にセットされたときのモータプレート７５の傾斜角度に合わせて、斜めに形成しているが、これに限らず、底板２ａの上面に平行な当接面としてもよい。
【００６５】
上記実施形態では、従動スライダ５２にブラケット８２を設けて、衝撃緩衝用ストッパ８１をストッパ位置と退避位置とに変位させたが、これに代えて、キャリッジなどの移動の障害となることが無い位置で、ローディングスライダ４１にブラケット及び衝撃緩衝用ストッパを設けてもよい。
【００６６】
衝撃緩衝用ストッパ８１の従動スライダ５２やローディングスライダ４１との連動に際し、例えば従動スライダ５２から延設したブラケット８２を介して衝撃緩衝用ストッパ８１をストッパ位置と退避位置との間で移動させたが、この他に、図示は省略したが、リンク機構、トグル機構、ギヤトレインなどの各種連動機構を用いて、衝撃緩衝用ストッパ８１を昇降フレーム１１の昇降に連動させて、ストッパ位置と退避位置との間で移動させてもよい。
【００６７】
上記第１実施形態では、昇降フレーム１１の上昇に伴い、昇降フレーム１１が再生／記録位置の高さを超える最上昇位置付近まで上昇したときに、ストッパ８１が入り込むようなブラケット形状及びストッパ形状としているが、ストッパの衝撃受け面を広く取りたい場合には、ストッパの高さを第１実施形態のものよりも少し低くしておき、この低くなった分だけ、ストッパをモータプレート７５と底板との隙間領域に早く入れることができる。したがって、早く入れることができる分だけ、衝撃受け面を広くとることができる。このように、再生／記録位置に昇降フレーム１１がセットされているときのストッパとモータプレート７５の隙間が、第１実施形態のものに比べて、少し広くなりその分だけ衝撃緩衝特性が低下するものの、底板との間にストッパが介在することのない従来タイプに比べて、衝撃耐性に優れたものとなる。
【００６８】
本発明は、スロットインタイプの他に、昇降フレーム１１が昇降するトレイタイプに対しても、上記各実施形態と同様にして、衝撃緩衝用ストッパを設けることにより、落下衝撃を緩衝することができる。
【図面の簡単な説明】
【００６９】
【図１】本発明のディスク装置とディスクとを示す斜視図である。
【図２】天板を取り外したディスク装置の斜視図である。
【図３】天板を取り外したディスク装置の平面図である。
【図４】底板を省略したディスク装置の底面図である。
【図５】ローディングスライダと、これに連動するリンクレバーを示す斜視図である。
【図６】衝撃緩衝用ストッパを有する従動スライダの斜視図である。
【図７】スピンドルモータの取り付け状態を示す斜視図である。
【図８】モータプレートと底板との間に衝撃緩衝用ストッパが入った状態を示す断面図である。
【図９】ディスクのチャッキングの動作を示す断面図である。
【図１０】本発明の第２実施形態の要部を示す断面図である。
【図１１】本発明の第３実施形態の要部を示す断面図である。
【図１２】本発明の第４実施形態の要部を示す断面図である。
【符号の説明】
【００７０】
１０  ベースパネル
１１  昇降フレーム
１３  ターンテーブルユニット
１５  ターンテーブル
１６  チャッキングヘッド
２０  光ピックアップ
２４  ディスク支持アーム
２５  誘引アーム
２９ａ，２９ｂ  昇降ピン
３８  ローディングモータ
４１  ローディングスライダ
５２  従動スライダ
８１，８５，８７，８９  衝撃緩衝用ストッパ
８２  ブラケット
【図１】
2010113778.tif 000003
【図２】
2010113778.tif 000004
【図３】
2010113778.tif 000005
【図４】
2010113778.tif 000006
【図５】
2010113778.tif 000007
【図６】
2010113778.tif 000008
【図７】
2010113778.tif 000009
【図８】
2010113778.tif 000010
【図９】
2010113778.tif 000011
【図１０】
2010113778.tif 000012
【図１１】
2010113778.tif 000013
【図１２】
2010113778.tif 000014